(57)【要約】【課題】食器を収容し洗浄水を貯留する洗浄槽２と、洗浄槽２から導かれた洗浄水を貯留する水位検知室４と、水位検知室４内に収容され洗浄槽２の水位に合わせて上下動するフロート４１と、フロート４１の上限位置を検知する満水検知部ＳＷと、洗浄槽２内の洗浄水を排水管Ｌ４から機外へ排出するポンプ３とを具備し、水位検知室４の構成壁には、排水管Ｌ４から分岐した循環管Ｌ５を接続する循環管接続孔４３が開設された食器洗浄機１において、水位検知室４やフロート４１への汚れの蓄積を抑制することで、長期的に食器洗浄能力および水位検知精度を維持すること。【解決手段】循環管接続孔４３は、循環管Ｌ５から送り込まれた洗浄水が水位検知室４内側の底面外周に沿って放出されるように水位検知室４内側へ開放したこと。【選択図】図１
2008154706.tif 000002
【特許請求の範囲】
【請求項１】
食器を収容し洗浄水を貯留する洗浄槽と、洗浄槽から導かれた洗浄水を貯留する水位検知室と、水位検知室に収容され洗浄槽の水位に合わせて上下動するフロートと、フロートの上限位置を検知する満水検知部と、洗浄槽内の洗浄水を排水管から機外へ排出するポンプとを具備し、
前記水位検知室の構成壁には、前記排水管から分岐した循環管を接続する循環管接続孔が開設された食器洗浄機において、
前記循環管接続孔は、前記循環管から送り込まれた洗浄水が水位検知室内側の底面外周に沿って放出されるように水位検知室内側へ開放した、食器洗浄機。
【請求項２】
請求項１に記載の食器洗浄機において、
水位検知室の構成壁における前記循環管接続孔の出水側開口との対向面は、水位検知室の中央側下方へ傾斜した、食器洗浄機。
【請求項３】
請求項１に記載の食器洗浄機において、
水位検知室は、円筒状に形成された内周面と、前記内周面の下端から下方へ縮径する漏斗状に形成された底面とを有し、
前記循環管接続孔の出水側開口は、前記底面に配設された、食器洗浄機。
【請求項４】
請求項１から３のいずれかに記載の食器洗浄機において、
前記循環管接続孔の出水側開口は、下限位置におけるフロートの下端より下方に設けた、食器洗浄機。
【発明の詳細な説明】
【技術分野】
【０００１】
本発明は、洗浄槽内の水位を検知するための水位検知室を備えた食器洗浄機に関するものである。
【背景技術】
【０００２】
水位検知室を備えた従来の食器洗浄機において、洗浄槽に貯留した洗浄水を機外へ排出する際に、その洗浄水の一部を水位検知室へ循環させつつ排水することによって、水位検知室内を清掃するものが知られている。
図６は、上記従来の食器洗浄機６の概略構成図であり、食器を収容する洗浄槽７と、洗浄槽７の底部（以下、「溜水部」という）７０に溜まった洗浄水を洗浄ノズル７１側へ送り込む洗浄ポンプ８ａと、上記洗浄水を排水管Ｌ４から機外へ排出させる排水ポンプ８ｂと、上記溜水部７０へ連通管Ｌ３を介して連結される水位検知室９と、食器洗浄機６の動作を制御する制御部ＣＵを備えている。
【０００３】
また、洗浄槽７の側壁には、制御部ＣＵからの指示に応じて開閉する給水電磁弁７３が接続されており、この給水電磁弁７３を開放させることによって、給水配管Ｌ１から洗浄槽７内へ洗浄水が注入される。
水位検知室９の底面９６０には、上記連結管Ｌ３へ繋がる連通口９００が開設されており、洗浄槽７内に注入された洗浄水は、上記連通口９００を通って水位検知室９内へ流れ込む。
【０００４】
また、水位検知室９には、洗浄槽７から水位検知室９内へ導かれた洗浄水の水位に合わせて上下動するフロート９１が収容されており、洗浄槽７内が満水になった際に、上記フロート９１の支軸９４がリミットスイッチＳＷに当接するように構成されている。
尚、制御部ＣＵには、リミットスイッチＳＷに上記支軸９４が当接した時点で上記給水電磁弁７３を閉じて洗浄水の注入を停止させる制御プログラムが組み込まれている。
【０００５】
さらに、水位検知室９の上壁には、排水管Ｌ４から分岐した循環管Ｌ５に繋がる循環管接続孔９３が開設されており、排水ポンプ８ｂによって排水管Ｌ４側へ排出される洗浄槽７内の洗浄水の一部が上記循環管接続孔９３から水位検知室９内へ送り込まれるように構成されている。
【０００６】
一方、循環管接続孔９３の水位検知室９内側の開口９３０は、近接する水位検知室９の内側面９２０に向かって開放している（図７参照）。
従って、排水ポンプ８ｂを駆動させる排水運転が実行されれば、上記溜水部７０に溜まった洗浄水は、排水ポンプ８ｂへ吸い込まれて排水管Ｌ４から機外へ排出されるとともに、その一部が循環管Ｌ５を通って循環管接続孔９３から水位検知室９へ送り込まれる。
このとき、循環管接続孔９３へ送り込まれた洗浄水は、図７の矢印で示すように、上記開口９３０から水位検知室９の内側面９２０に向けて放出され、その内側面９２０に沿って下方へ流れ落ちる。
【０００７】
そして、水位検知室９の底面９６０に残留した汚れとともに、上記連通口９００から連通管Ｌ３を介して上記溜水部７０へ戻され、排水ポンプ８ｂによって機外へ排出される。
これにより、排水運転を実行する度に水位検知室９の底面９６０に残留した汚れが排除されるから、その後、食器の洗浄運転が実行された場合も、水位検知室９から洗浄槽７へ汚れが混入し難い。
【特許文献１】特開２００５−１９３０７４号公報
【発明の開示】
【発明が解決しようとする課題】
【０００８】
しかしながら、上記従来の食器洗浄機６では、循環管Ｌ５から水位検知室９内に送り込まれた洗浄水を上記開口９３０に対向する内側面９２０に沿って下方へ流し落とす構成であるから、上記洗浄水の流れ落ちる経路から外れた内側面やフロート９１の水接触面に付着した汚れは、十分に取り除くことができず、使用を重ねるにつれて徐々に蓄積される。
その結果、上記内側面やフロート９１の水接触面に蓄積した汚れが食器洗浄時に連通管Ｌ３から洗浄槽７へ混入し、食器洗浄能力を低下させる恐れがあった。
また、フロート９１の水接触面に蓄積した汚れによって、洗浄水に対するフロート９１全体の比重が変化し、洗浄槽７が満水であることを正確に検知できなくなる恐れもあった。
【０００９】
本発明は係る点に鑑みてなされたもので、
『食器を収容し洗浄水を貯留する洗浄槽と、洗浄槽から導かれた洗浄水を貯留する水位検知室と、水位検知室に収容され洗浄槽の水位に合わせて上下動するフロートと、フロートの上限位置を検知する満水検知部と、洗浄槽内の洗浄水を排水管から機外へ排出するポンプとを具備し、
前記水位検知室の構成壁には、前記排水管から分岐した循環管を接続する循環管接続孔が開設された食器洗浄機』において、水位検知室やフロートへの汚れの蓄積を抑制することで、長期的に食器洗浄能力および水位検知精度を維持することを課題とする。
【課題を解決するための手段】
【００１０】
上記課題を解決するための請求項１に係る発明の技術的手段は、
『前記循環管接続孔は、前記循環管から送り込まれた洗浄水が水位検知室内側の底面外周に沿って放出されるように水位検知室内側へ開放した』ことである。
上記技術的手段によれば、ポンプから循環管を通って循環管接続孔へ送り込まれた洗浄水が水位検知室内側の底面外周に沿って放出されるように構成したことによって、循環管接続孔から水位検知室内へ放出された水は、水位検知室内側の底面外周を旋回しながら流れる。
【００１１】
そして、上記底面外周を旋回する水流が水位検知室内の水面側まで伝達されて水位検知室の水没部全体に旋回流を発生させ、この旋回流によって水位検知室の底面や内周面、フロート等の水接触面に付着した汚れが積極的に取り除かれる。
従って、水位検知室の底面や内周面、フロートの水接触面に汚れが蓄積せず、常に清潔な状態で保たれる。
【００１２】
請求項２に係る発明の技術的手段は、
前記請求項１において、
『水位検知室の構成壁における前記循環管接続孔の出水側開口との対向面は、水位検知室の中央側下方へ傾斜した』ことである。
このものでは、上記循環管接続孔から底面外周に沿って放出された洗浄水は、水位検知室の中央側下方へ傾斜する上記循環管接続孔の出水側開口との対向面に衝突することで、底面から離反するように斜め上向きに変向しつつ、水位検知室の内周面に沿って旋回する。
これにより、水位検知室の水没部全体に速やかに旋回流を発生させることが可能である。従って、水位検知室内の清掃能力が向上する。
【００１３】
請求項３に係る発明の技術的手段は、
前記請求項１において、
『水位検知室は、円筒状に形成された内周面と、前記内周面の下端から下方へ縮径する漏斗状に形成された底面とを有し、
前記循環管接続孔の出水側開口は、前記底面に配設された』ことである。
このものでは、循環管接続孔の出水側開口は、水位検知室の内周面下端から下方へ縮径する漏斗状の底面に設けられており、上記出水側開口から底面外周に沿って放出された洗浄水は、その底面の傾斜によって、底面から離反するように斜め上向きに変向しつつ、円筒状の内周面に沿って旋回する。
これにより、水位検知室の水没部全体に速やかに且つ安定した旋回流を発生させることが可能である。従って、水位検知室内の清掃能力が向上する。
【００１４】
請求項４に係る発明の技術的手段は、
前記請求項１から３のいずれかにおいて、
『前記循環管接続孔の出水側開口は、下限位置におけるフロートの下端より下方に設けた』ことである。
このものでは、水位検知室内の水位が低下してフロートが下限位置に到達しても、循環管接続孔の出水側開口から底面外周に沿って放出された洗浄水がフロートに衝突しないから、水位検知室内に継続して安定した旋回流を発生させることが可能である。従って、水位検知室内の清掃能力が一層向上する。
【発明の効果】
【００１５】
本発明は、上記構成であるから次の特有の効果を有する。
請求項１に係る発明では、水位検知室内に旋回流を発生させることによって、水位検知室の底面や内周面、フロート等の水接触面に汚れが蓄積せず、常に清潔な状態で保たれるから、洗浄運転時に水位検知室内から洗浄槽へ汚れが混入し難い。これにより、長期的に食器洗浄能力を維持できる。
また、フロートの水接触面への汚れの蓄積を抑制することで、洗浄水に対するフロート全体の比重が安定するから、水位検知精度も長期に亘って維持できる。
【００１６】
請求項２に係る発明では、水位検知室の水没部全体に速やかに旋回流を発生させることによって、水位検知室内の清掃能力が向上するから、安定した食器洗浄能力および水位検知性能を発揮させることが可能である。
【００１７】
請求項３に係る発明では、水位検知室の水没部全体に速やかに且つ安定した旋回流を発生させることによって、水位検知室内の清掃能力が向上するから、安定した食器洗浄能力および水位検知性能を発揮させることが可能である。
【００１８】
請求項４に係る発明では、水位検知室内の水位が低下した状態においても、水位検知室内に安定した旋回流が発生するから、水位検知室の清掃能力が一層向上する。従って、一層安定した食器洗浄能力および水位検知性能を発揮させることが可能である。
【発明を実施するための最良の形態】
【００１９】
次に、上記した本発明を実施するための最良の形態について、添付図面を参照しながら詳述する。
図１は、本発明の実施の形態に係る食器洗浄機１の概略構成図であり、図２は、後述する水位検知室３の正面（図２（ａ））、右側面（図２（ｂ））および平面（図２（ｃ））を示す一部断面図である。以下、各部の詳細について図１および図２に従って説明する。
図１に示す食器洗浄機１は、システムキッチンのカウンタＣ下へ埋設する形式、所謂、ビルトイン式の食器洗浄機であり、カウンタＣの下方の空間へ埋没状態で装着される矩形箱状のケーシング１０内には、食器を収容する洗浄槽２と、洗浄槽２の底部に溜まった洗浄水を洗浄ノズル２１（後述する）へ供給する洗浄兼排水ポンプ３と、洗浄槽２内の水位を検知する水位検知室４と、食器洗浄機１の動作を制御する制御部ＣＵとが収容されている。
【００２０】
また、制御部ＣＵには、後述する正面扉１１に設けられた操作部（図示しない）の操作に応じて洗浄運転や排水運転を実行する制御プログラムが組み込まれており、上記洗浄兼排水ポンプ３や後述する給水電磁弁２３、リミットスイッチＳＷ等が電気的に接続されている。
【００２１】
洗浄槽２は、その上面から下方へ深く絞り込むように形成された矩形状の箱体であり、ケーシング１０の正面開口部１００から引き出し可能な状態でケーシング１０内に組み付けられている。また、ケーシング１０の正面開口部１００は、洗浄槽２の正面に固定された正面扉１１によって覆われている。
【００２２】
一方、洗浄槽２の上面開口部２２は、上下移動可能な開閉蓋１２によって被蓋されている。この開閉蓋１２は、図示しないバネによって上方へ付勢されており、洗浄槽２の引き出し動作に連動して上面開口部２２から上昇離反するように構成されている。
洗浄槽２の後部には、制御部ＣＵからの指示に応じて開閉する給水電磁弁２３が接続されており、この給水電磁弁２３を開放させることによって、給水配管Ｌ１から洗浄槽２内へ洗浄水が注入される。
【００２３】
洗浄槽２の底部には、洗浄兼排水ポンプ３から送り込まれる洗浄水を洗浄槽２内へ噴射する洗浄ノズル２１が設けられている。
上記洗浄ノズル２１は、その下端のポンプ接続口２１２が洗浄槽２の下方へ露出した状態で洗浄槽２の底部に取り付けられており、上記ポンプ接続口２１２に洗浄兼排水ポンプ３の洗浄側吐出口３０２が接続されている。
【００２４】
また、洗浄槽２の底部には、洗浄ノズル２１から噴射された洗浄水が流れ込む窪み（以下、「溜水部」という）２０が形成されており、その溜水部２０の側面には、吸水管Ｌ２を介して洗浄兼排水ポンプ３へ繋がる吸水孔２０１が開設されている。
洗浄兼排水ポンプ３は、二つの吐出口から択一的に水を送り出すことが可能な正逆駆動式のウォータポンプであり、洗浄兼排水ポンプ３に収容された羽根車（図示しない）を正回転させれば、吸水管接続口３０１から吸い込まれた水を洗浄側吐出口３０２へ送り出し、逆回転させれば、吸水管接続口３０１から吸い込まれた水を排水側吐出口３０３へ送り出すように構成されている。
上記洗浄兼排水ポンプ３の排水側吐出口３０３には、洗浄水を機外へ排出する排水管Ｌ４が接続されている。
【００２５】
従って、洗浄兼排水ポンプ３を正駆動させる洗浄運転が実行されれば、洗浄槽２の溜水部２０に溜まった洗浄水は、吸水孔２０１から吸水管Ｌ２を通って洗浄兼排水ポンプ３へ吸い込まれ、洗浄側吐出口３０２から洗浄ノズル２１を介して洗浄槽２内へ噴射される。
【００２６】
また、洗浄兼排水ポンプ３を逆駆動させる排水運転が実行されれば、洗浄槽２の溜水部２０に溜まった洗浄水は、吸水孔２０１から吸水管Ｌ２を通って洗浄兼排水ポンプ３へ吸い込まれ、排水側吐出口３０３から排水管Ｌ４を通って機外へ排出される。
【００２７】
一方、上記溜水部２０の側面には、連通管Ｌ３を介して水位検知室４へ繋がる連通孔２００が開設されている。
水位検知室４は、矩形箱状に形成されており、洗浄槽２の正面に固定されている。
上記水位検知室４の底部には、上記連通管Ｌ３を接続する連通管接続孔４０が形成されており、この連通管接続孔４０が連通管Ｌ３を介して上記溜水部２０の連通孔２００に繋がっている。従って、水位検知室４と洗浄槽２とは、常に同一水位で維持される。
上記水位検知室４の内部には、その槽内の水位に合わせて上下動するフロート４１が収容されている。
【００２８】
上記フロート４１の上面には、水位検知室４の上面から上方へ突出する支軸４４が形成されており、この支軸４４が水位検知室４の上面に形成された起立壁４５に対して上下摺動可能な状態で支持されている。
上記起立壁４５には、水位検知室４内の水位が上限位置に到達したか否かを検知するリミットスイッチＳＷが設けられており、フロート４１が上限位置まで浮上した際に、その支軸４４の上端が当接する位置に固定されている。
【００２９】
また、制御部ＣＵには、リミットスイッチＳＷに上記支軸４４の上端が当接された時点で給水電磁弁２３を閉じ、洗浄槽２への洗浄水の注入を停止させる制御プログラムが組み込まれている。
【００３０】
従って、給水電磁弁２３を開いて洗浄槽２内へ洗浄水の注入が開始された後、水位検知室４内の水位の上昇に伴ってフロート４１の支軸４４の上端がリミットスイッチＳＷへ当接すれば、制御部ＣＵによって給水電磁弁２３が閉じられ、洗浄槽２への洗浄水の注入を停止させる。
尚、上記「リミットスイッチＳＷ」が、既述請求項１の発明特定事項としての「満水検知部」に対応する。
【００３１】
また、水位検知室４の側壁４２には、排水管Ｌ４から分岐した循環管Ｌ５を接続する循環管接続孔４３が形成されており、洗浄兼排水ポンプ３によって排水側吐出口３０３側へ排出される洗浄槽２内の洗浄水の一部が水位検知室４内へ送り込まれるように構成されている。
【００３２】
従って、上記排水運転が実行されれば、洗浄槽２の溜水部２０に溜まった洗浄水の一部は、循環管Ｌ５を通って水位検知室４内へ送り込まれる。
これにより、水位検知室４や連通管Ｌ３内に残留した汚れが、洗浄槽２の溜水部２０に残留した汚れとともに機外へ排出される。
尚、上記「洗浄兼排水ポンプ３」が、既述請求項１の発明特定事項としての「ポンプ」に対応する。
【００３３】
図２に示すように、上記フロート４１は、下面が開放する中空円柱状に形成されており、その下端には、切り込み４１０が形成されている。従って、フロート４１が水面に浮遊した状態においては、上記切り込み４１０の上端と水面とが略一致するように構成されている。
上記循環管接続孔４３は、水位検知室４の側壁４２の右内側面４２ａの下端後方コーナ部から底面４６０の後辺と平行な方向へ水平に延びる円形長孔であり、その循環管接続孔４３の出水側の開口（以下、「出水口」という）４３０は、水位検知室４の左内側面４２ｂに向かって開放している。
即ち、循環管Ｌ５から送り込まれる洗浄水が水位検知室４内側の底面４６０の後辺に沿って放出されるように構成されている。
【００３４】
また、上記出水口４３０は、下限位置におけるフロート４１の下面より下方且つ後端より後方、即ち、右側面視においてフロート４１と重なり合わない位置に配設されている（図２（ｂ）参照）。
従って、フロート４１が下限位置へ到達した時点においても、出水口４３０は水面下に位置している。
【００３５】
一方、水位検知室４の左内側面４２ｂの下部は、水位検知室４内側の底面４６０の中央側下方へ傾斜しており、上記出水口４３０は、この傾斜面４２１に対向している。
尚、上記「出水口４３０」が、既述請求項２の発明特定事項としての「出水側開口」に対応し、上記「左内側面４２ｂ」が、既述請求項２の発明特定事項としての「内周面」に対応する。また、上記「傾斜面４２１」が、既述請求項２の発明特定事項としての「対向面」に対応する。
【００３６】
水位検知室４内側の底面４６０は、水位検知室４の正面側下方へ傾斜しており、上記連通管接続孔４０の水位検知室４内側の開口（以下、「連通口」という）４００は、この傾斜下端に開設されている。
従って、水位検知室４内が満水に近い排水運転開始時、循環管接続孔４３から水位検知室４内へ送り込まれる洗浄水は、図３の矢印で示すように、出水口４３０から水位検知室４の底面４６０の後辺に沿って水平に放出され、傾斜面４２１に衝突して底面４６０から離反するように斜め上向きに変向しつつ、左内側面４２ｂに沿って流れた後、正面側を通って右内側面４２ａの出水口４３０の近傍まで導かれる。
【００３７】
そして、水位検知室４の内周面４２０に沿って上昇旋回し、連通管接続孔４０から洗浄兼排水ポンプ３によって機外へ排出される。
即ち、出水口４３０から送り込まれた洗浄水によって水位検知室４内に速やかに旋回流を発生させ、この旋回流によって水位検知室４の内周面４２０や底面４６０、フロート４１の水接触面等に付着した汚れが積極的に取り除かれる。
その結果、水位検知室４の内周面４２０や底面４６０、フロート４１の水接触面に汚れが蓄積せず、常に清潔な状態で保たれる。
【００３８】
従って、食器の洗浄に使用される溜水部２０の洗浄水に水位検知室４側から汚れが混入し難く、長期的に食器洗浄能力を維持できる。
また、水位検知室４の水没部全体に速やかに上記旋回流を発生させることで、水位検知室４内の清掃能力が向上するから、安定した食器洗浄能力および水位検知性能を発揮させることが可能である。
【００３９】
一方、フロート４１の水接触面へ汚れが蓄積した場合は、洗浄水に対するフロート４１全体の比重が変化してその上下動が安定しなくなる恐れがあるが、このものでは、フロート４１の水接触面に汚れが蓄積せず、常に清潔な状態で維持することが可能であるから、フロート４１の動作が安定する。これにより、長期的に水位検知精度を維持できる。
【００４０】
また、出水口４３０を水位検知室４の右内側面４２ａ下端に設けたことで、排水の進行に伴って水位が底面４６０に近づくまでの間、継続して水位検知室４の内周面４２０や底面４６０、フロート４１の水接触面が旋回流によって常に清潔な状態で保たれる。従って、一層安定した食器洗浄能力および水位検知性能を発揮させることが可能である。
【００４１】
さらに、洗浄兼排水ポンプ３に空気が浸入し、その羽根車（図示しない）を収容するケーシング内に空気溜まりが発生した場合、所謂、エア噛みを生じた場合は、揚水力が低下し、食器の洗浄能力を低下させる恐れがあるが、洗浄運転開始（フロート４１が上限位置にある）時、出水口４３０は水面下に位置しているから、水位検知室４内の洗浄水が循環管Ｌ５を通って洗浄兼排水ポンプ３へ引き込まれる（図１参照）。
即ち、洗浄運転開始時に洗浄兼排水ポンプ３内でエア噛みを生じた場合も、水位検知室４から引き込まれた洗浄水によってそのエア噛みは速やかに解消され、揚水力を回復させるから、エア噛みに起因する食器洗浄能力の低下を防止できる。
【００４２】
また、出水口４３０を水面下且つフロート４１の下面より下方に設けたことで、排水の進行に伴ってフロート４１が下限位置へ到達しても、上記出水口４３０から放出された洗浄水は、上記フロート４１に衝突しないで水位検知室４内に安定した旋回流を発生させる（図４参照）から、水位検知室４内の清掃能力が一層向上する。従って、一層安定した食器洗浄能力および水位検知性能を発揮させることが可能である。
【００４３】
一方、水位検知室４内が空に近い排水運転終了時、循環管接続孔４３から水位検知室４内へ送り込まれる洗浄水は、フロート４１に向けて放出されず、底面４６０の後辺に沿って水平に放出され、傾斜面４２１および底面４６０を通って連通口４００から排出される。
従って、水位検知室４内に送り込まれた洗浄水やその洗浄水に含まれる汚れがフロート４１の上面や水位検知室４上部の支軸挿通部等に飛散して残留し、フロート４１の動作を不安定にさせる恐れもない。
【００４４】
［その他］
上記実施の形態では、水位検知室４が矩形箱状のものを説明したが、図５に示すように、略円柱状のものであっても良い。
図５に示す水位検知室４Ａは、円筒状の周壁４２Ａと、その周壁４２Ａの下端から中央下方へ縮径する漏斗状の底壁４６Ａとを有しており、上記底壁４６Ａの中央には、略Ｌ字状の連通管接続孔４０Ａが形成されている。
【００４５】
また、水位検知室４Ａの底壁４６Ａには、その内側の底面４６０Ａ外周から中心と偏心した方向へ水平に延びる循環管接続孔４３Ａが形成されている。
上記循環管接続孔４３Ａの出水側の開口（以下、「出水口」という）４３０Ａは、水位検知室４Ａの中央下方へ傾斜する底面４６０Ａに対向しているとともに、下限位置におけるフロート４１の下面より下方且つ後端より後方、即ち、側面視においてフロート４１と重なり合わない位置に配設されている。
尚、上記「出水口４３０Ａ」が、既述請求項３の発明特定事項としての「出水側開口」に対応する。
【００４６】
従って、水位検知室４Ａ内が満水に近い排水運転開始時、循環管接続孔４３Ａから水位検知室４Ａ内へ送り込まれる洗浄水は、図５の矢印で示すように、上記出水口４３０Ａから底面４６０Ａの外周に沿って水平に放出され、その底面４６０Ａの傾斜によって底面４６０Ａから離反するように斜め上向きに変向しつつ、周壁４２Ａの内周面４２０Ａに沿って上昇旋回した後、連通管接続孔４０Ａから水位検知室４Ａ外へ排出される。
これにより、上記実施の形態と同様、水位検知室４Ａの内周面４２０Ａや底面４６０Ａ、フロート４１の水接触面に汚れが蓄積せず、常に清潔な状態で維持することが可能であるから、安定した食器洗浄能力および水位検知精度を発揮できる。
【００４７】
また、内周面４２０Ａが円筒状に形成されていることで、水位検知室４Ａ内に速やかに且つ安定した旋回流が発生するから、水位検知室４Ａ内の清掃能力が一層良好である。従って、一層安定した食器洗浄能力および水位検知性能を発揮させることが可能である。
【００４８】
また、出水口４３０Ａを底面４６０Ａの外周に設けたことで、排水の進行に伴って水位が底面４６０Ａに近づくまでの間、継続して水位検知室４Ａの内周面４２０Ａや底面４６０Ａ、フロート４１の水接触面が旋回流によって常に清潔な状態で保たれる。従って、一層安定した食器洗浄能力および水位検知性能を発揮させることが可能である。
【００４９】
さらに、洗浄運転開始（フロート４１が上限位置にある）時、出水口４３０Ａは水面下に位置しているから、上記実施の形態と同様、洗浄兼排水ポンプ３のエア噛みに起因する食器洗浄能力の低下を防止できるとともに、一層安定した食器洗浄能力および水位検知性能を発揮させることが可能である。
【００５０】
また、水位検知室４Ａ内に送り込まれた洗浄水やその洗浄水に含まれる汚れがフロート４１の上面や水位検知室４Ａ上部の支軸挿通部等に飛散して残留し、フロート４１の動作を不安定にさせる恐れもない。
尚、上記実施の形態では、洗浄槽２内の洗浄水を機外へ排出するポンプとして、洗浄排水兼用のポンプ（洗浄兼排水ポンプ３）を採用したものを説明したが、既述従来の食器洗浄機のように、洗浄ノズル側には洗浄ポンプ、排水管側には排水ポンプをそれぞれ個別に組み込んだものであっても良い。
【００５１】
また、上記実施の形態に係る食器洗浄機は、システムキッチンのカウンタ下へ埋設するビルトイン式のものを説明したが、カウンタ上面に載置して使用する据置式のものであっても良い。
【図面の簡単な説明】
【００５２】
【図１】本発明の実施の形態に係る食器洗浄機１の概略構成図
【図２】本発明の実施の形態に係る食器洗浄機１の水位検知室４の正面視縦断面図（ａ）、右側面視縦断面図（ｂ）および平面視横断面図（ｃ）
【図３】本発明の実施の形態に係る食器洗浄機１のフロート４１が上限位置である状態を示す水位検知室４の斜視図
【図４】本発明の実施の形態に係る食器洗浄機１のフロート４１が下限位置である状態を示す水位検知室４の斜視図
【図５】本発明の他の実施形態に係る食器洗浄機１Ａの水位検知室４Ａの斜視図
【図６】従来の食器洗浄機６の概略構成図
【図７】従来の食器洗浄機６の水位検知室９の縦断面図
【符号の説明】
【００５３】
１・・・食器洗浄機
２・・・洗浄槽
２０・・・底部
３・・・ポンプ
４・・・水位検知室
４１・・・フロート
４３・・・循環管接続孔
ＳＷ・・・満水検知部
Ｌ３・・・連通管
Ｌ４・・・排水管
Ｌ５・・・循環管
【図１】
2008154706.tif 000003
【図２】
2008154706.tif 000004
【図３】
2008154706.tif 000005
【図４】
2008154706.tif 000006
【図５】
2008154706.tif 000007
【図６】
2008154706.tif 000008
【図７】
2008154706.tif 000009